(57)【特許請求の範囲】
【請求項１】
切妻屋根を備える住宅において、建物の妻壁に前記切妻屋根と連続する庇を備え、この庇の上端側の両端部から上方に連続する第１けらばを形成するとともに、前記庇の軒先側の両端部から下方に連続して延びる第２けらばを形成し、
前記妻壁には、前記庇と前記第２けらばの下端との間に位置する窓が設けられており、
前記妻壁のうち前記庇の上方の妻壁は、該庇の下方の妻壁より奥方に位置していることを特徴とする住宅。
【請求項２】
前記妻壁には、前記庇の下方に位置するバルコニーまたは飾り棚の何れかが設けられていることを特徴とする請求項１記載の住宅。
【発明の詳細な説明】
【０００１】
【産業上の利用分野】
本発明は、切妻屋根を備える住宅に関し、特に、その建物の妻壁に備える庇と切妻屋根との接合に関するものである。
【０００２】
【従来の技術】
例えば、切妻屋根を備える２階建てや３階建ての住宅において、その建物の妻壁に２階や小屋裏や３階の窓を設けて、その窓の上に、片流れの庇を備えたものがある。
このような切妻屋根と妻壁の窓の上に庇を備える住宅において、従来は、妻壁の窓の上の庇は切妻屋根と離れて独立に設けられていた。
【０００３】
【発明が解決しようとする課題】
ところで、住宅としての外観のデザインに変化を持たせるために、例えば、妻壁の窓の上の庇の両端部を切妻屋根と連続させることが考えられる。
しかし、このような妻壁の窓の上の庇の上端側の両端部を、切妻屋根に対し単に接合するだけでは、妻壁から庇だけが大きく突出したものとなり、外観のデザインとして必ずしも良好なものとはならなくなってしまう心配がある。
【０００４】
そこで、本発明の目的は、切妻屋根を備える建物の妻壁に設ける庇と切妻屋根との関係について、新規なデザインにより外観が良好なものとなる住宅を提供することにある。
【０００５】
【課題を解決するための手段】
以上の課題を解決すべく請求項１記載の発明は、切妻屋根を備える住宅において、建物の妻壁に前記切妻屋根と連続する庇を備え、この庇の上端側の両端部から上方に連続する第１けらばを形成するとともに、前記庇の軒先側の両端部から下方に連続して延びる第２けらばを形成し、前記妻壁には、前記庇と前記第２けらばの下端との間に位置する窓が設けられており、
前記妻壁のうち前記庇の上方の妻壁は、該庇の下方の妻壁より奥方に位置している構成を特徴としている。
【０００７】
また、請求項２記載の発明は、請求項１記載の住宅において、前記妻壁には、前記庇の下方に位置するバルコニーまたは飾り棚の何れかが設けられている構成を特徴としている。
【０００８】
【作用】
請求項１記載の発明によれば、妻壁に切妻屋根と連続する庇を備えて、この庇の上端側の両端部から上方に連続する第１けらばと、庇の軒先側の両端部から下方に連続して延びる第２けらばとを有する住宅なので、切妻屋根のけらばが庇と連続するとともに、その庇を境に連続する上下のけらばの突出長さが異なり、即ち、切妻屋根を有する建物の妻壁側が、庇を境にして、上方側の第１けらばが奥方に位置して、下方側の第２けらばが手前に突出した状態になることから、切妻屋根の建物の妻壁側およびけらば周りの新規なデザインが得られ、外観が良好になる。また、妻壁に庇とその軒先側の両端部から下方に連続して延びる第２けらばが設けられているので、庇より下方の妻壁側を雨からある程度守れる。また、妻壁には、庇の下方に位置する窓が設けられている住宅なので、窓の上方の庇と両側方の第２けらばとによって、窓から直射日光が入るのをある程度抑えられる。
【００１０】
また、請求項２記載の発明によれば、請求項１記載の妻壁には、庇の下方に位置するバルコニーまたは飾り棚の何れかが設けられている住宅なので、バルコニーまたは飾り棚の上方の庇と両側方の第２けらばとによって、バルコニーまたは飾り棚であっても、雨や直射日光をある程度凌げる。
【００１１】
【実施例】
以下に、本発明に係る住宅の実施例を図１に基づいて説明する。
先ず、図１は本発明を適用した一例としての３階建て住宅の外観を示すもので、１は切妻屋根、２は屋根材、３は片流れ屋根、４は３階開口部、５，６は妻壁、７は３階窓、８は飾り棚（フラワーボックス）、１０は庇、１１は第１けらば、１２は第２けらばである。
【００１２】
図示のように、この住宅は３階建ての建物で切妻屋根１を備えていて、図示例では、この切妻屋根１の両側の屋根材２，２のうち少なくとも一方の屋根材２の内方に、片流れ屋根３を有しており、この片流れ屋根３の下方が３階開口部４となっている。
また、このような切妻屋根１を備えた３階建て住宅は、図示例において、１階から３階部分までの妻壁５の上方を、この妻壁５の面より奥方に位置する三角形の妻壁６としている。
さらに、前記妻壁５の３階部分には、３階窓７が設けられている。この３階窓７は、図示例では、下部に飾り棚（フラワーボックス）８を有するものとなっている。
【００１３】
そして、以上の３階窓７の上方には、切妻屋根１に両端部が連続する片流れの庇１０を設けている。
即ち、この庇１０は、妻壁５の３階窓７の上部とその上方で奥方に位置する三角形の妻壁６の下部とをつないでいる。
また、この庇１０は、下方の妻壁５の面から外方に比較的大きく突出していて、その両端部を切妻屋根１の両側の屋根材２，２にそれぞれ接合している。
【００１４】
つまり、この切妻屋根１の両側の屋根材２，２は、図示のように、上方で奥方に位置する三角形の妻壁６の両側から外方に若干突出する第１けらば１１，１１を有している。この第１けらば１１，１１の下端部を、庇１０の上端側の両端部にそれぞれ接合している。
さらに、切妻屋根１の両側の屋根材２，２は、庇１０の両側部に沿ってそれぞれ接合するとともに、その庇１０の軒先側の両端部から下方へ一様に連続して延びる第２けらば１２，１２を有している。この第２けらば１２，１２も、庇１０と同じく、妻壁５の両側から外方に比較的大きく突出している。
なお、このような第１けらば１１および第２けらば１２の構成は、図示のように、反対側の妻壁側についても同様である。
【００１５】
以上のような３階建て住宅における切妻屋根１と３階窓７用の庇１０の構成としたので、次のような効果が得られる。
即ち、妻壁５の３階窓７の上部とその上方で奥方に位置する三角形の妻壁６の下部とを庇１０がつなぐとともに、この庇１０の上端側の両端部から上方に連続する屋根材２，２の第１けらば１１，１１が三角形の妻壁６の両側に位置して、庇１０の軒先側の両端部から下方に連続して屋根材２，２の第２けらば１２，１２が延びているため、切妻屋根１の屋根材２，２が庇１０と連続し、しかも、庇１０を境にして、上方側の第１けらば１１，１１が奥方に位置して、下方側の第２けらば１２，１２が手前に突出した状態となる。
従って、３階建て住宅における切妻屋根１の妻壁側およびけらば周りが、斬新なデザインとなって、良好な外観のものとなる。
【００１６】
また、３階建て住宅において、切妻屋根１の建物における妻壁５の３階部分の庇１０と、その軒先側の両端部から下方に連続して延びる第２けらば１２，１２とが、妻壁５の面から外方に比較的大きく突出していることによって、庇１０より下方の妻壁５側が雨からある程度守られるものとなっている。
そして、庇１０と両側方の第２けらば１２，１２とによって、妻壁５の３階窓７から室内に直射日光が入るのをある程度抑えられるとともに、３階窓７の飾り棚（フラワーボックス）８に対しても、雨や直射日光がある程度凌げるものとなっている。
【００１７】
なお、以上の実施例においては、３階建て住宅における３階窓用の庇部分としたが、本発明はこれに限定されるものではなく、２階建て住宅における２階窓用や小屋裏窓用の庇部分であってもよい。
また、実施例では、窓の下に飾り棚（フラワーボックス）を設けたが、大きな開口部の窓を持ったバルコニーを設けてもよく、その他、具体的な細部構造等についても適宜に変更可能であることは勿論である。
【００１８】
【発明の効果】
以上のように、請求項１記載の発明に係る住宅によれば、妻壁に切妻屋根と連続する庇を備えて、この庇の上端側の両端部から上方に連続する第１けらばと、庇の軒先側の両端部から下方に連続して延びる第２けらばとを有しているため、妻壁側において、切妻屋根のけらばが庇と連続するとともに、その庇を境にして、上方側の第１けらばが奥方に位置して、下方側の第２けらばが手前に突出した状態にすることができ、即ち、切妻屋根の建物の妻壁側およびけらば周りを新規なデザインにして、外観を良好なものにすることができる。また、妻壁の庇とその軒先側の両端部から下方に連続して延びる第２けらばとによって、庇より下方の妻壁側を雨からある程度守ることができる。また、庇の下方に位置する窓が設けられているため、窓の上方の庇と両側方の第２けらばとによって、窓から直射日光が入るのをある程度抑えることができる。
【００２０】
また、請求項２記載の発明に係る住宅によれば、庇の下方に位置するバルコニーまたは飾り棚の何れかが設けられているため、バルコニーまたは飾り棚の上方の庇と両側方の第２けらばとによって、バルコニーまたは飾り棚であっても、雨や直射日光をある程度凌ぐことができる。
【図面の簡単な説明】
【図１】本発明を適用した一例としての３階建て住宅の外観を示す斜視図である。
【符号の説明】
１  切妻屋根
２  屋根材
３  片流れ屋根
４  ３階開口部
５，６  妻壁
７  ３階窓
８  飾り棚（フラワーボックス）
１０  庇
１１  第１けらば
１２  第２けらば
【図１】
0003769600.tif 000002